【手続補正書】
【提出日】平成20年1月17日(2008.1.17)
【手続補正１】
【補正対象書類名】明細書
【補正対象項目名】特許請求の範囲
【補正方法】変更
【補正の内容】
【特許請求の範囲】
【請求項１】  迅速呼出チャンネル及び１次呼出チャンネルを使用する無線通信システムにおいて、次回の１次呼出チャンネル信号の存在を決定するために迅速呼出チャンネル信号を効率的に使用するためのシステムであって、
第１の決定パラメータ及び／又は第２の決定パラメータに基づいて、受信信号の第１の迅速呼出チャンネルシンボル及び／又は第２の迅速呼出チャンネルシンボルを選択的に処理するための、且つそれに応答して第１の表示を提供するための第１の手段、
前記第１の表示に応答して前記第１の迅速呼出チャンネルシンボルを処理するための、且つそれに応答して、次回の１次呼出チャンネル信号が受信且つ処理されるべきであるかどうかを表示する第２の表示を提供するための第２の手段、並びに
前記第１の表示及び前記第２の表示に応答して、前記第２の迅速呼出チャンネルシンボルを処理するための、且つそれに応答して、前記１次呼出チャンネルが受信且つ処理されるべきであるかどうかを指定する第３の表示を提供するための第３の手段、
を含むシステム。
【請求項２】  前記次回の１次呼出チャンネルが受信且つ処理されるべきでないと前記第２の表示が表示するとき、前記第３の手段を選択的に使用するための第４の手段を更に含む請求項１のシステム。
【請求項３】  移動局上に設置される前記システムは、次回の呼の存在を表示する前記無線通信システムを介して、呼出が前記移動局へ送出されるとき、前記移動局と前記無線通信システムとの間のトラフィックチャンネルの首尾よい確立を容易化するための前記移動局上に設置される請求項２のシステム。
【請求項４】  前記第１の決定パラメータは、前記受信信号が通して伝播する信号環境の品質を表す請求項２のシステム。
【請求項５】  前記第１の決定パラメータ（ＣＳＩ１）は、次の方程式によって記述される請求項４のシステム。
ＣＳＩ１＝Ｅｐｉｌｏｔ１／Ｉ＾０１
ここで、Ｅｐｉｌｏｔ１は、前記第１の迅速呼出シンボルに関連する前記パイロット信号の部分の正規化パイロットエネルギーを表し、且つＩ＾０１は、前記第１の迅速呼出シンボルに関連する前記受信信号の部分の合計エネルギーを表す。
【請求項６】  前記第２の決定パラメータ（Ｄ１）は、次の方程式によって記述される請求項５のシステム。
Ｄ１＝ＱＰ１／Ｅｐｉｌｏｔ１
ここで、ＱＰ１は、前記第１のシンボルに関連する前記パイロット信号の推定値を用いる前記第１のシンボルのスカラー積、ベクトル積、又はその組合わせである。
【請求項７】  前記第１の手段は、前記第１の決定パラメータを削除閾値と比較するための、且つ、前記比較に基づいて、前記第１の表示によって、且つ前記第１の決定パラメータが事前決定された削除閾値より大きいとき、前記第１の迅速呼出チャンネルシンボルが処理されるべきであると、前記第１の表示によって、表示するための手段を更に含む請求項６のシステム。
【請求項８】  前記第１の手段は、前記第１の決定パラメータが前記削除閾値より小さいとき、前記第２の迅速呼出シンボルが直ちに処理されるべきであり、且つ前記第１の迅速呼出シンボルが処理されるべきでないと、前記第１の表示によって、表示するための手段を更に含む請求項７のシステム。
【請求項９】  前記第２の手段は、前記第２の決定パラメータ（Ｄ１）を第１のオン‐オフ閾値と比較するための、且つ次回の呼出のために前記次回の呼出チャンネルが受信且つ処理されるべきでないと、前記第２の表示によって、表示するための手段を更に含む請求項８のシステム。
【請求項１０】  前記第２の手段は、前記第２の表示に応答して、前記システムを睡眠状態に選択的に入れるための手段を更に含む請求項９のシステム。
【請求項１１】  前記第２の手段は、前記第１の迅速呼出シンボルが受信且つ処理されるべきであると前記第１の表示が表示しないとき、且つ前記第２の決定パラメータが前記オン‐オフ閾値より大きいとき、前記第２の迅速呼出チャンネルシンボルが処理されるべきであると、前記第２の表示によって、表示するための手段を含む請求項１０のシステム。
【請求項１２】  前記第３の手段は、次の方程式を表示するための前記手段に応答して、決定パラメータ（Ｄ）を計算するための手段を含む請求項１１のシステム。
（ＱＰ１／σ12）＋（ＱＰ2／σ22）
Ｄ＝    
（Ｅｐｉｌｏｔ１／σ12）＋（Ｅｐｉｌｏｔ2／σ22）
ここで、σ12は、前記第１の迅速呼出チャンネルシンボルを含む前記受信信号の部分に関連する雑音パワーを表し、σ22は、前記第２の迅速呼出チャンネルシンボルを含む前記受信信号の部分に関連する雑音パワーを表し、ＱＰ２は、前記第２の迅速呼出チャンネルシンボルの信号成分と前記第２の迅速呼出チャンネルシンボルに関連する前記パイロット信号との間のスカラー積、ベクトル積、又はその組合わせであり、且つＥｐｉｌｏｔ2は、前記第２の迅速呼出チャンネルシンボルに関連する第２のパイロットチャンネルシンボルに関連する合計パイロット信号エネルギーを表す。
【請求項１３】  前記第３の手段は、Ｄを第２のオン‐オフ閾値と比較するための、且つＤが前記第２のオン‐オフ閾値より大きいとき、前記次回の１次呼出チャンネルが処理されるべきであると、前記第３の表示によって、表示するための、且つＤが前記第２のオン‐オフ閾値より近似的に小さいとき、前記次回の１次呼出チャンネルが処理されるべきでないと、前記第３の表示によって、表示するための手段を更に含む請求項１２のシステム。
【請求項１４】  迅速呼出チャンネルに関連する迅速呼出信号に基づいて、１次呼出チャンネル上の次回の呼出が受信且つ処理されるべきであるかどうかを、表示するためのシステムであって、
前記迅速呼出信号とパイロット信号とを含む受信信号に基づいて、前記システムが作動している信号環境の品質を表示する第１のパラメータを計算するための第１の手段、
前記第１のパラメータに応答して、前記迅速呼出信号の第１のシンボルを選択的に処理するための、且つそれに応答して、前記迅速呼出信号の信号強度を表示する第２のパラメータを供給するための第２の手段、
前記第１の決定パラメータと前記第２の決定パラメータとに基づいて、前記１次呼出チャンネルが次回の呼出のために処理されるべきでないと、前記迅速呼出チャンネル信号の第２のシンボルを処理すべきか又は第１の表示を提供すべきかを、決定するための第３の手段、並びに
前記第３の手段に応答して、前記迅速呼出チャンネル信号の前記第２のシンボルを選択的に処理するための第４の手段であって、前記次回の呼出のために前記呼出チャンネルが処理されるべきであることについて第２の表示を提供するために、前記第１の迅速呼出シンボルと前記第２の迅速呼出シンボルとに関連する雑音パワーの推定値、及び前記第２の迅速呼出シンボルに関連する前記パイロット信号と前記迅速呼出チャンネル信号とのエネルギーを使用するための手段を含む前記第４の手段、
を含むシステム。
【請求項１５】  前記第１のパラメータは、前記パイロット信号のエネルギー対前記受信信号の合計信号エネルギー比であるパイロット信号対干渉比を含む請求項１４のシステム。
【請求項１６】  前記迅速呼出チャンネル信号は、前記第１の迅速呼出チャンネルシンボル及び前記第２の迅速呼出チャンネルシンボルを有するスロットを含む請求項１５のシステム。
【請求項１７】  前記第２のパラメータを決定するための前記第２の手段によって使用される前記受信信号の前記強度は、前記パイロット信号の信号強度に対する前記呼出信号の関係信号強度である請求項１５のシステム。
【請求項１８】  前記第２のパラメータは、次の方程式によって指定される請求項１７のシステム。
Ｄ１＝ＱＰ１／Ｅｐｉｌｏｔ１
ここで、ＱＰ１は、迅速呼出信号とパイロット信号成分とを統合する復調シンボルであり、且つＥｐｉｌｏｔ１は、利用可能な多通路全体に亘り組合わされる前記パイロット信号に関連し且つ前記第１の迅速呼出チャンネルシンボルに関連するエネルギーを表す。
【請求項１９】  雑音パワーの前記推定値は、前記迅速呼出信号の第１の迅速呼出シンボルに関連する雑音パワーの第１の推定値及び前記迅速呼出チャンネルの第２の迅速呼出シンボルに関連する雑音パワーの第２の推定値を含む請求項１８のシステム。
【請求項２０】  前記第５の手段は、決定統計値を事前決定され組合わされた閾値と比較するための、且つ前記比較に基づいて、前記次回の１次呼出チャンネルが処理されるべきであるかどうかを表示するための手段を含む請求項１４のシステム。
【請求項２１】  前記決定統計値は、次の方程式によって指定される請求項２０のシステム。
（ＱＰ１／σ12）＋（ＱＰ2／σ22）
Ｄ＝    
（Ｅｐｉｌｏｔ１／σ12）＋（Ｅｐｉｌｏｔ2／σ22）
ここで、σ12は、第１のＱＰＣＨシンボルを含む前記受信信号の第１の部分に関連する雑音パワーであり、σ22は、第２のＱＰＣＨシンボルを含む前記受信信号の第２の部分に関連する雑音パワーであり、ＱＰ１は、前記パイロット信号の関連する部分の推定値を用いる前記第１のＱＰＣＨシンボルのスカラー積、ベクトル積、又はその組合わせであり、ＱＰ２は、前記パイロット信号の関連する部分の推定値を用いる前記第２のＱＰＣＨシンボルのスカラー積、ベクトル積、又はその組合わせであり、Ｅｐｉｌｏｔ１は、前記パイロット信号の前記第１の部分のエネルギーであり、且つＥｐｉｌｏｔ２は、前記パイロット信号の前記第２の部分のエネルギーである。